【手続補正書】
【提出日】平成15年8月25日(2003.8.25)
【手続補正１】
【補正対象書類名】明細書
【補正対象項目名】特許請求の範囲
【補正方法】変更
【補正の内容】
【特許請求の範囲】
【請求項１】
（ａ）
（ｉ）チタン、ジルコニウムまたはアルミニウムのオルトエステルまたは縮合オルトエステル、
（ｉｉ）少なくとも２つのヒドロキシル基を含むアルコール、
（ｉｉｉ）２−ヒドロキシカルボン酸、および
（ｉｖ）塩基
の反応生成物である有機金属化合物、並びに、
（ｂ）
少なくとも１つの、ゲルマニウム、アンチモンまたはスズの化合物
を含むエステル調製用の触媒として使用するのに適した触媒組成物。
【請求項２】
有機金属化合物がチタンオルトエステルの反応生成物である請求項１に記載の触媒組成物。
【請求項３】
前記アルコールが二価アルコールである請求項１または２に記載の触媒組成物。
【請求項４】
有機金属化合物が、１モルのチタンまたはジルコニウム当り２ないし１２モルの２価アルコールを含む請求項３に記載の触媒組成物。
【請求項５】
前記カルボン酸が乳酸、クエン酸、リンゴ酸、および酒石酸から選択される請求項１ないし４のいずれか記載の触媒組成物。
【請求項６】
有機金属化合物が１モルのチタンまたはジルコニウム当り１ないし４モルの２−ヒドロキシカルボン酸を含む請求項１に記載の触媒組成物。
【請求項７】
前記塩基が水酸化ナトリウム、水酸化カリウム、水酸化アンモニウム、炭酸ナトリウム、水酸化マグネシウム、アンモニア、水酸化テトラブチルアンモニウム、水酸化テトラエチルアンモニウム、水酸化コリン、（水酸化トリメチル(２−ヒドロキシエチル)アンモニウム）、水酸化ベンジルトリメチルアンモニウム、モノエタノールアミン、ジエタノールアミン、トリエタノールアミン、またはトリイソプロパノールアミンから選択される請求項１ないし６のいずれか記載の触媒組成物。
【請求項８】
有機金属化合物がチタンオルトエステル、クエン酸、２価アルコール、および無機塩基の反応生成物を含み、チタン：酸：２価アルコール：塩基のモル比が１：１．５−３．５：４−１０：２−１２の範囲にある請求項１ないし７のいずれか記載の触媒組成物。
【請求項９】
ゲルマニウムの化合物が二酸化ゲルマニウムまたはゲルマニウムの塩である請求項１ないし８のいずれか記載の触媒組成物。
【請求項１０】
アンチモンの化合物が三酸化アンチモンまたはアンチモンの塩である請求項１ないし９のいずれか記載の触媒組成物。
【請求項１１】
スズの化合物がスズの塩、酸化ジアルキルスズ、ジアルキルスズジアルカノエート、またはアルキルスタン酸である請求項１ないし１０のいずれか記載の触媒組成物。
【請求項１２】
Ｔｉ、ＺｒまたはＡｌの重量とＧｅ、ＳｂまたはＳｎの重量で計算して、成分（ａ）と成分（ｂ）の重量比が１：０−１０００の範囲にある請求項１ないし１１のいずれか記載の触媒組成物。
【請求項１３】
テレフタル酸、ジメチルテレフタレート、イソフタル酸、ジメチルイソフタレート、ジメチル−２，６−ナフタレート、またはナフタレンジカルボン酸からなる群から選択される化合物と、１，２−エタンジオール、１，４−ブタンジオール、２，３−プロパンジオール、１，６−ヘキサンジオール、トリメチロールプロパン、およびペンタエリトリトールからなる群から選択されるアルコールとの反応を含むエステルの生成プロセスであって、
（ａ）
（ｉ）チタン、ジルコニウムまたはアルミニウムのオルトエステルまたは縮合オルトエステル、
（ｉｉ）少なくとも２つのヒドロキシル基を含むアルコール、
（ｉｉｉ）２−ヒドロキシカルボン酸、および
（ｉｖ）塩基
の反応生成物である有機金属化合物、並びに、
（ｂ）
少なくとも１つの、ゲルマニウム、アンチモンまたはスズの化合物
を含む触媒組成物の存在中で行うエステルの生成プロセス。
【請求項１４】
エステル化反応が直接エステル化またはエステル交換であり、触媒組成物が生成エステルの重量に対する金属の重量部で計算して、０．２ないし１２００ｐｐｍの範囲の量で存在する請求項１３に記載のプロセス。
【請求項１５】
エステル化がポリエステル化であり、触媒組成物が生成ポリエステルの重量に対する金属の重量部で計算して、５ないし５００ｐｐｍの範囲の量で存在する請求項１３に記載のプロセス。
【請求項１６】
（ｉ）テレフタル酸、ジメチルテレフタレート、イソフタル酸、ジメチルイソフタレート、ジメチル２，６ナフタレート、またはナフタレンジカルボン酸からなる群から選択される化合物と、１，２−エタンジオール、１，４−ブタンジオール、２，３−プロパンジオール、１，６−ヘキサンジオール、トリメチロールプロパン、およびペンタエリトリトールからなる群から選択されるアルコールとを反応させる工程であって、
（ａ）チタン、ジルコニウムまたはアルミニウムのオルトエステルまたは縮合オルトエステル、少なくとも２つのヒドロキシル基を含むアルコール、２−ヒドロキシカルボン酸、および塩基の反応生成物である有機金属化合物、並びに、
（ｂ）少なくとも１つの、ゲルマニウム、アンチモンまたはスズの化合物
を含む触媒組成物の存在中で行う工程、
（ｉｉ）オプションとして、得られたポリマーを固相重合反応させて、ＡＳＴＭ  Ｄ−４６０３の方法により測定して少なくとも０．５dl/gの固有粘度をもつポリエステル材料を形成する工程、
（ｉｉｉ）前記ポリエステル製品を溶融状態の前記ポリマーから形成する工程、並びに
（ｉｖ）冷却工程
を具備するエステル製品の製造プロセス。
【請求項１７】
さらに前記ポリエステル繊維を延伸する追加の工程を含む請求項１６のプロセス。
【請求項１８】
（ａ）チタン、ジルコニウムまたはアルミニウムのオルトエステルまたは縮合オルトエステル、少なくとも２つのヒドロキシル基を含むアルコール、２−ヒドロキシカルボン酸、および塩基、並びに、
（ｂ）少なくとも１つの、ゲルマニウム、アンチモンまたはスズの化合物
を含む触媒組成物の残渣を含むポリエステル製品。
【請求項１９】
繊維、フィルム、または容器である請求項１８に記載のポリエステル製品。
【請求項２０】
工業用繊維を含む請求項１９に記載のポリエステル製品。
【請求項２１】
紡織繊維として使用するのに適した繊維を含む請求項１９に記載のポリエステル製品。
【請求項２２】
請求項２０の前記工業用繊維を含むタイヤコード。
【請求項２３】
請求項２０の前記工業用繊維を含むシートベルト。
【請求項２４】
請求項２２の前記タイヤコードを含むゴム強化製品。
【請求項２５】
請求項２４の前記ゴム強化製品を含むタイヤ。
【請求項２６】
請求項２３の前記シートベルトを含むセーフティー拘束システム。
【請求項２７】
フィルムを含む請求項１９に記載のポリエステル製品。
【請求項２８】
ボトル、ジャー、またはクラムシェルパッケージを含む堅い包装製品を含む請求項１９に記載のポリエステル製品。
【請求項２９】
（ｉ）テレフタル酸、ジメチルテレフタレート、イソフタル酸、ジメチルイソフタレート、ジメチル２，６ナフタレート、またはナフタレンジカルボン酸からなる群から選択された化合物と、１，２−エタンジオール、１，４−ブタンジオール、２，３−プロパンジオール、１，６−ヘキサンジオール、トリメチロールプロパン、およびペンタエリトリトールとを一緒に反応させる工程であって、
チタン、ジルコニウムまたはアルミニウムのオルトエステルまたは縮合オルトエステル、少なくとも２つのヒドロキシル基を含むアルコール、２−ヒドロキシカルボン酸、および塩基を含む触媒組成物の存在中で行う工程、
（ｉｉ）オプションとして、得られたポリマーを固相重合反応させて、ＡＳＴＭ  Ｄ−４６０３の方法により測定して少なくとも０．５dl/gの固有粘度をもつポリエステル材料を形成する工程、
（ｉｉｉ）前記ポリエステル繊維を溶融状態の前記ポリマーから形成する工程、並びに
（ｉｖ）冷却工程
を具備するポリエステル繊維の製造プロセス。
【請求項３０】
さらに前記ポリエステル繊維を延伸する追加の工程を含む請求項２９のプロセス。
【請求項３１】
チタン、ジルコニウムまたはアルミニウムのオルトエステルまたは縮合オルトエステル、少なくとも２つのヒドロキシル基を含むアルコール、２−ヒドロキシカルボン酸、および塩基の反応生成物である有機金属化合物を含む触媒組成物の残渣を含むポリエステル繊維。
【請求項３２】
前記繊維が工業繊維である請求項３１のポリエステル繊維。
【請求項３３】
前記繊維が紡織繊維である請求項３１のポリエステル繊維。
【請求項３４】
請求項３２の前記工業繊維を含むタイヤコード。
【請求項３５】
請求項３２の前記工業繊維を含むシートベルト。
【請求項３６】
請求項３４の前記タイヤコードを含むゴム強化製品。
【請求項３７】
請求項３６の前記ゴム強化製品を含むタイヤ。
【請求項３８】
請求項３５の前記シートベルトを含むセーフティー拘束システム。
【請求項３９】
チタン、ジルコニウムまたはアルミニウムのオルトエステルまたは縮合オルトエステル、少なくとも２つのヒドロキシル基を含むアルコール、２−ヒドロキシカルボン酸、および塩基の反応生成物である有機金属化合物を含む触媒組成物を使用して前記ポリエステルを作製する工程を具備する、チタン触媒から作製されたポリエステルから紡糸される繊維における伸び粘度を改善する方法。
【請求項４０】
前記繊維が工業繊維である請求項３９の方法。
【請求項４１】
前記繊維が紡織繊維である請求項３９の方法。
【請求項４２】
チタン、ジルコニウムまたはアルミニウムのオルトエステルまたは縮合オルトエステル、少なくとも２つのヒドロキシル基を含むアルコール、２−ヒドロキシルカルボン酸、および塩基の反応生成物である有機金属化合物を含む触媒組成物の残渣を含む改善した伸び粘度をもつ繊維。
【請求項４３】
前記繊維が工業繊維である請求項４２の繊維。
【請求項４４】
前記繊維が紡織繊維である請求項４２の繊維。